(57)【要約】【課題】電力系統への電力の逆潮流を防ぎつつ電池容量測定を行なうことを可能にする。【解決手段】  蓄電システム１０は、電力系統５００と電力の授受が可能であるとともに、互いに電力交換可能に構成される複数の蓄電池（バッテリ１００，２００）と、蓄電システム１０の全体の残存容量が５０％以下の条件のもと、電池容量測定のために複数の蓄電池（バッテリ１００，２００）のうち放電が行なわれる蓄電池（バッテリ１００）の放電電力と充電が行なわれる蓄電池（バッテリ２００）の充電電力とを一致させて、放電が行なわれる蓄電池（バッテリ１００）と充電が行なわれる蓄電池（バッテリ２００）との間で電力交換が行なわれるように蓄電システム１０を制御する制御部６００とを備える。【選択図】図１
2015070782.tif 000002
【特許請求の範囲】
【請求項１】
蓄電システムであって、
電力系統と電力の授受が可能であるとともに、互いに電力交換可能に構成される複数の蓄電池と、
前記蓄電システムの全体の残存容量が５０％以下の条件のもと、電池容量測定のために前記複数の蓄電池のうち放電が行なわれる蓄電池の放電電力と充電が行なわれる蓄電池の充電電力とを一致させて、前記放電が行なわれる蓄電池と前記充電が行なわれる蓄電池との間で電力交換が行なわれるように前記蓄電システムを制御する制御部とを備える、蓄電システム。
【請求項２】
前記複数の蓄電池は、
前記複数の蓄電池のうち前記電池容量測定のために放電が行なわれる第１の蓄電池と、前記第１の蓄電池を前記電力交換が可能な状態と前記電力交換が不可能な状態とに切り替える第１切替装置とを含む第１グループと、
前記複数の蓄電池のうち前記電池容量測定のために充電が行なわれる第２の蓄電池と、前記第２の蓄電池を前記電力交換が可能な状態と前記電力交換が不可能な状態とに切り替える第２切替装置とを含む第２グループとに分類される、請求項１に記載の蓄電システム。
【請求項３】
前記第１切替装置は、前記第１の蓄電池に接続された第１の電力変換装置を含み、
前記第２切替装置は、前記第２の蓄電池に接続された第２の電力変換装置を含む、請求項２に記載の蓄電システム。
【発明の詳細な説明】
【技術分野】
【０００１】
本発明は蓄電システムに関し、特に蓄電システムに含まれる電池容量の測定に関する。
【背景技術】
【０００２】
近年、蓄電装置の電力を利用する蓄電システムが実用に供されている（たとえば、特開２０１１−２５４６１７号公報参照）。オフィスビルや家屋などに設置される蓄電システム（「定置型蓄電システム」と呼ばれることもある）は、電力系統と連携して運転する。定置型蓄電システムは、たとえば、電力のピークシフトに用いられる。
【０００３】
蓄電装置に含まれる蓄電池は、使用とともに劣化する。たとえば、蓄電池が蓄えることができる電力量を表す蓄電池容量は、使用とともに減少する。蓄電池の劣化状態を確認するため、定置型蓄電システムにおいて、蓄電池容量を測定する必要がある。
【先行技術文献】
【特許文献】
【０００４】
【特許文献１】特開２０１２−１１０１７０号公報
【特許文献２】特開２０１１−２５４６１７号公報
【発明の概要】
【発明が解決しようとする課題】
【０００５】
蓄電池容量の測定（以下、単に「電池容量測定」という場合もある）は、たとえば、満充電状態の蓄電池を空になるまで放電させ、その放電電力量を測定することによって行なわれる。通常、蓄電システムは、昼間にピークシフトのための運転を行なう。そのため、電池容量測定は夜間に行なわれることが好ましい。
【０００６】
電池容量測定のために蓄電池を放電させると、電力系統への電力の逆潮流が発生してしまうことがある。通常、電力系統への逆潮流が認められるのは、太陽電池などの分散型電源の発電電力のみである。
【０００７】
特開２０１２−１１０１７０号公報は、逆潮流される電力量を、分散型電源が発電した電力量に抑える（制限する）技術を提案する。しかし、そのような制限がなされると、電池容量測定のために蓄電池を十分に充放電させることができないおそれがある。
【０００８】
本発明は、電力系統への電力の逆潮流を防ぎつつ電池容量測定を行なうことを可能にすることである。
【課題を解決するための手段】
【０００９】
本発明は、一局面において、蓄電システムである。蓄電システムは、電力系統と電力の授受が可能であるとともに、互いに電力交換可能に構成される複数の蓄電池と、蓄電システムの全体の残存容量が５０％以下の条件のもと、電池容量測定のために複数の蓄電池のうち放電が行なわれる蓄電池の放電電力と充電が行なわれる蓄電池の充電電力とを一致させて、放電が行なわれる蓄電池と充電が行なわれる蓄電池との間で電力交換が行なわれるように蓄電システムを制御する制御部とを備える。
【００１０】
上記構成の蓄電システムでは、複数の蓄電池の間で電力交換が行なわれる。その際、制御部は、放電が行なわれる蓄電池の放電電力と充電が行なわれる蓄電池の充電電力とが一致するように蓄電システムを制御する。そのため、蓄電システム内の蓄電池の放電電力はすべて蓄電システム内の他の蓄電池に充電される。その結果、蓄電システムの外部に出力されることはなく、逆潮流は発生しない。このような制御のもとで蓄電池の充放電電力量を測定すれば、蓄電池の電池容量測定を行なうことができる機会が増える。
【００１１】
好ましくは、複数の蓄電池は、複数の蓄電池のうち電池容量測定のために放電が行なわれる第１の蓄電池と、第１の蓄電池を電力交換が可能な状態と電力交換が不可能な状態とに切り替える第１切替装置とを含む第１グループと、複数の蓄電池のうち電池容量測定のために充電が行なわれる第２の蓄電池と、前記第２の蓄電池を電力交換が可能な状態と電力交換が不可能な状態とに切り替える第２切替装置とを含む第２グループとに分類される。
【００１２】
放電が行なわれる任意の蓄電池を第１グループから選択し、充電が行なわれる任意の蓄電池を第２グループから選択することで、それらの蓄電池の間で電力交換を行なわせることができる。この場合、電池容量測定に使用される蓄電池の組み合わせのバリエーションが増える。例えば、第１グループに含まれる複数の蓄電池をまとめて放電させ、その放電電力で第２グループに含まれる複数の蓄電池をまとめて充電するといったことも可能になる。これにより、電池容量の測定時間の短縮を図ることができる。
【００１３】
さらに好ましくは、第１切替装置は、第１の蓄電池に接続された第１の電力変換装置を含み、第２切替装置は、第２の蓄電池に接続された第２の電力変換装置を含む。
【００１４】
電力変換装置により、各蓄電池の充放電を個別に行なうことが可能になる。すなわち、いずれの蓄電池も、第１グループに分類されることもできるし、第２グループに分類されることもできる。これにより、電池容量測定に使用される蓄電装置の組み合わせのバリエーションがさらに増える。
【００１５】
なお、第１切替装置および第２切替装置は、リレーを含むこともできる。
第１および第２切替装置により、第１グループおよび第２グループから、電池容量測定のために放電または充電が行なわれる蓄電池を任意に選出することが可能になる。  
【発明の効果】
【００１６】
本発明によると、電力系統への電力の逆潮流を防ぎつつ電池容量測定を行なうことが可能になる。
【図面の簡単な説明】
【００１７】
【図１】実施の形態に係る蓄電システムの概略構成を示す図である。
【図２】電池容量測定が行なわれる際に実行される処理を説明するためのフローチャートである。
【図３】図２のステップＳ１０２における電力の流れを説明するための図である。
【図４】図２のステップＳ１０４における電力の流れを説明するための図である。
【図５】図２のステップＳ１０４における電力の流れを説明するための図である。
【図６】図２のステップＳ１０５における電力の流れを説明するための図である。
【図７】図２のステップＳ１０５における電力の流れを説明するための図である。
【図８】蓄電システムの変形例１の概略構成を示す図である。
【図９】蓄電システムの変形例２の概略構成を示す図である。
【図１０】蓄電システムの変形例３の概略構成を示す図である。
【図１１】蓄電システムの変形例４の概略構成を示す図である。
【発明を実施するための形態】
【００１８】
以下、本発明の実施の形態について、図面を参照しながら詳細に説明する。なお、図中同一または相当部分には同一符号を付してその説明は繰り返さない。
【００１９】
［実施の形態］
図１は、実施の形態に係る蓄電システム１０の概略構成を示す図である。図１を参照して、蓄電システム１０は、バッテリ１００，２００と、ＤＣ／ＤＣコンバータ１１０，２１０と、インバータ３００と、負荷４００と、電力系統５００と、制御部６００と、測定部７００とを含む。
【００２０】
バッテリ１００，２００は、ＤＣ電力を蓄える蓄電池である。バッテリ１００，２００は、たとえば、リチウムイオン電池、ニッケル水素電池または鉛蓄電池などの二次電池、あるいは電気二重層キャパシタなどの蓄電素子を含んで構成される。バッテリ１００，２００の各々は、コンバータ１１０，２１０にそれぞれ接続される。
【００２１】
コンバータ１１０，２１０は、双方向のＤＣ／ＤＣコンバータであり、電力変換装置である。コンバータ１１０，２１０の各々は、バッテリ１００，２００からのＤＣ電力を電圧変換（たとえば昇圧）して、インバータ３００に供給する。また、コンバータ１１０，２１０の各々は、インバータ３００からのＤＣ電力を電圧変換（たとえば降圧）して、バッテリ１００，２００に供給する。さらに、コンバータ１１０は、コンバータ２１０からのＤＣ電力を電圧変換して、バッテリ１００に供給することもできる。同様に、コンバータ２１０は、コンバータ１１０からのＤＣ電力を電圧変換して、バッテリ２００に供給することもできる。すなわち、バッテリ１００とバッテリ２００とは、互いに電力交換可能に構成される。
【００２２】
インバータ３００は、双方向のインバータである。インバータ３００は、コンバータ１１０，２１０からのＤＣ電力をＡＣ電力に変換して、負荷４００および／または電力系統５００に向けて出力する。また、インバータ３００は、電力系統５００からのＡＣ電力をＤＣ電力に変換して、コンバータ１１０，２１０に向けて出力する。つまり、バッテリ１００，２００は、コンバータ１１０，２１０およびインバータ３００を通して、電力系統５００と電力の授受が可能である。
【００２３】
負荷４００は、たとえば、需要家が使用する電気機器である。負荷４００は、インバータ３００からのＡＣ電力を消費する。また、負荷４００は、電力系統５００からのＡＣ電力を消費する。
【００２４】
電力系統５００は、商用電力網などである。電力系統５００からの電力は、需要家が購入する電力である。バッテリ１００，２００は、コンバータ１１０，２１０およびインバータ３００を介して、電力系統５００に接続される。
【００２５】
制御部６００は、コンバータ１１０，２１０と、インバータ３００と、測定部７００とを制御する。制御は、たとえば、通信信号を利用して行なわれる。なお、制御部６００は、次に説明するような測定部７００の機能を兼ね備えていてもよい。
【００２６】
測定部７００は、バッテリ１００，２００の充放電電力量を測定する。バッテリ１００，２００の充放電電力量は、たとえば、バッテリ１００，２００の充放電電力と時間の積算により求めることができる。充放電電力は、バッテリ１００，２００の充放電電圧および充放電電流によって求めることができる。充放電電圧および充放電電流は、バッテリ１００，２００とコンバータ１１０，２１０との間に設けられた、あるいはコンバータ１１０，２１０に設けられた電圧センサや電流センサ（図示しない）によって測定されることができる。
【００２７】
以上の構成の蓄電システム１０は、代表的には、電力系統５００と連携して運転する（連携運転）。連係運転では、インバータ３００のＡＣ電力は、電力系統５００のＡＣ電力と電圧および周波数が等しくなるように制御される。なお、蓄電システム１０は、太陽電池や燃料電池などを利用した分散型電源（図示しない）を含んでいてもよい。
【００２８】
連係運転において、蓄電システム１０は、ピークシフト運転を行なうことができる。ピークシフト運転では、負荷４００の消費電力が最も大きくなる（ピークとなる）時間帯、たとえば昼間にバッテリ１００，２００の放電が行なわれる。その放電電力によって負荷４００の消費電力の少なくとも一部がまかなわれる。その結果、昼間に電力系統５００から購入されるべき電力が低減（ピークカット）される。また、負荷４００の消費電力が比較的小さい時間帯、たとえば夜間に電力系統５００からの電力によってバッテリ１００，２００の充電が行なわれる。これにより、電力系統５００から購入する電力の一部が、昼間から夜間にシフトする。このようなピークシフト運転は、たとえば、制御部６００の制御によって実現される。
【００２９】
蓄電システム１０において、バッテリ１００，２００の劣化を確認するため、それらの電池容量を測定する必要がある。上述のように、蓄電システム１０では、昼間、ピークシフトの目的のためにバッテリ１００，２００の電力の充放電動作が制御（制限）される。そのような制限のもとでバッテリ１００，２００の容量測定を行なうことが難しい。したがって、バッテリ１００，２００の容量測定は、夜間に行なわれることが好ましい。しかし、夜間は、負荷４００の消費電力が比較的小さくなる。そのため、バッテリ１００および／またはバッテリ２００の放電を行なうと、放電電力が負荷４００の消費電力よりも大きくなる場合がある。その場合、放電電力が、電力系統５００に逆潮流されてしまう。なお、逆潮流が行なわれる場合に蓄電システム１０を停止させるような機能も考えられる。ただし、そのような機能によって蓄電システム１０が停止されると、容量測定が中断され、正確な電池容量測定が行なえなくなる。
【００３０】
実施の形態に係る蓄電システム１０では、放電電力が電力系統５００に逆潮流されることなく、電池容量測定が行なわれる。この電池容量測定は、蓄電システム１０の全体の残存容量（ＳＯＣ：State  Of  Charge）が５０％以下の条件のもとで行なわれる。なお、蓄電システム１０の全体のＳＯＣ（全体ＳＯＣ）は、バッテリ１００および２００の電池容量の合計に占めるバッテリ１００および２００に蓄えられている電力量の割合で求められる。また、ここでは一例として、バッテリ１００とバッテリ２００の電池容量は同じに設計されているものとする。この場合、図１に示すようにバッテリ１００および２００のＳＯＣがそれぞれ４５％であれば、全体ＳＯＣも４５％になる。
【００３１】
図２は、電池容量測定が行なわれる際に実行される処理を説明するためのフローチャートである。このフローチャートの処理は、図１の制御部６００によって実行される。なお、このフローチャートに示す処理は、電池容量測定を行なうべき条件が成立する（たとえば所定の使用期間が経過し、全体ＳＯＣが５０％以下であってかつ夜間の適切な時刻になる）とメインルーチンから呼び出される。フローチャートに含まれる幾つかの処理の詳細については、後に図３から図７を参照して説明する。
【００３２】
図１および図２を参照して、はじめに、たとえばバッテリ１００が電池容量測定の対象として選ばれる（ステップＳ１０１）。次に、バッテリ２００の放電電力により利用してバッテリ１００の充電が行なわれる（ステップＳ１０２）。バッテリ２００に蓄えられた電力はすべて放電され、バッテリ２００は空（ＳＯＣ＝０％）になる。なお、ＳＯＣ＝０％とは、それ以上の放電（過放電）を防ぐために定められた残存容量の下限値であり、実際にバッテリの電力量が完全になくなるものではない。ここでは、簡単のためＳＯＣ＝０％とする。同様に、ＳＯＣ＝１００％とは、それ以上の充電（過充電）を防ぐために定められた残存容量の上限値である。
【００３３】
次に、ステップＳ１０３において、バッテリ１００のＳＯＣが所定値以上であるか否かが判定される。所定値は、たとえば１００％とすることができる。バッテリ１００のＳＯＣが所定値未満の場合（ステップＳ１０３でＹＥＳ）、ステップＳ１０５に処理が進められる。これに対し、バッテリ１００のＳＯＣが所定値以上の場合（ステップＳ１０３でＮＯ）、ステップＳ１０４に処理が進められる。
【００３４】
ステップＳ１０４において、電力系統５００の電力を利用してバッテリ１００の充電が行なわれる。その後、ステップＳ１０２に再び処理が戻される。
【００３５】
ステップＳ１０５において、バッテリ１００の放電電力を利用してバッテリ２００の充電が行なわれる。バッテリ１００に蓄えられた電力はすべて放電され、バッテリ１００は空（ＳＯＣ＝０％）になる。バッテリ１００の放電電力量は、測定部７００によって測定される。
【００３６】
その後、ステップＳ１０６において、測定部７００が測定したバッテリ１００の放電電力量が、バッテリ１００の電池容量とされる。バッテリ１００の電池容量は、たとえば、制御部６００に含まれる記憶素子（図示しない）に記憶され、バッテリ１００の使用履歴などに利用されることができる。ステップＳ１０６の処理が終了すると、処理はメインルーチンに戻される。
【００３７】
図２に示すフローチャートでは、バッテリ１００を電池容量測定の対象としたが、バッテリ２００を電池容量測定の対象とすることも可能である。
【００３８】
次に、図２のフローチャートの幾つかの処理の詳細について、図３から図７を参照して説明する。前提として、当初、バッテリ１００のＳＯＣは７０％、バッテリ２００のＳＯＣは２０％であるとする。この場合、全体ＳＯＣは４５％である。
【００３９】
図３は、図２のステップＳ１０２における電力の流れを説明するための図である。図３に示すように、ＳＯＣ＝７０％のバッテリ１００と、ＳＯＣ＝２０％のバッテリ２００との間で電力交換が行なわれる。具体的に、図３の矢印で示すように、バッテリ２００の放電電力が、コンバータ２１０，１１０を介してバッテリ１００に充電される。バッテリ１００のＳＯＣは９０％に、バッテリ２００のＳＯＣは０％になる。
【００４０】
図４および図５は、図２のステップＳ１０４における電力の流れを説明するための図である。図４に示すように、ＳＯＣ＝９０％のバッテリがさらに充電される。具体的に、図４の矢印で示すように、電力系統５００からの電力が、インバータ３００，コンバータ１１０を介してバッテリ１００に充電される。その結果、図５に示すように、バッテリ１００のＳＯＣは１００％になる。
【００４１】
図６および図７は、図２のステップＳ１０５における電力の流れを説明するための図である。図５に示すように、ＳＯＣ＝１００％のバッテリと、ＳＯＣ＝０％のバッテリ２００との間で電力交換が行なわれる。具体的に、図６の矢印で示すように、バッテリ１００の放電電力が、コンバータ１１０，２１０を介してバッテリ２００に充電される。すなわち、バッテリ２００は、バッテリ１００の放電電力を吸収する電力バッファとして機能する。その結果、図７に示すように、バッテリ１００のＳＯＣは０％に、バッテリ２００のＳＯＣは９０％程度となる。ここで、バッテリ２００のＳＯＣが１００％でなく、９０％程度になるのは、コンバータ１１０，２１０の電力変換損失が影響するためである。この電力変換損失は、バッテリ２００の電力バッファ機能を高める役割を果たす。つまり、バッテリ２００が充電可能な電力量よりも電力変換損失分だけ大きな電力を、バッテリ１００は放電することができる、なお、先の図３の説明においては、このような電力変換損失の影響の説明は省略した。
【００４２】
制御部６００は、バッテリ１００の放電電力とバッテリ２００の充電電力が一致する（等しくなる）ように、コンバータ１１０，２１０を制御する。これにより、バッテリ１００の放電が安定する。特に、バッテリ１００の放電電流が安定する（固定される）と、放電電力量の測定、すなわちバッテリ１００の電池容量の測定精度が向上する。また、バッテリ１００の放電電力とバッテリ２００の充電電力が等しい場合、バッテリ１００の放電電力が、インバータ３００を介して電力系統５００に逆潮流されることが防止される。バッテリ１００の放電電力とバッテリ２００の充電電力が「一致する」とは、より正確には、バッテリ１００の放電電力が、バッテリ２００の充電電力とコンバータ１１０，２１０等での電力ロスとの合計電力に等しいことである。あるいは、バッテリ１００の放電電力が、蓄電システム１０内に充電される電力と蓄電システム１０内で消費される電力との合計電力に等しいと言うこともできる。そのような場合、制御部６００は、たとえばバッテリ２００の電流Ｉ２が、Ｉ２＝Ｖ１×Ｉ１×η１×（η２／Ｖ２）となるように、コンバータ２１０を制御する。ここで、Ｖ１はバッテリ１００の電圧を、Ｉ１はバッテリ１００の電流を、η１はコンバータ１１０の効率を、η２はコンバータ２１０の効率を、Ｖ２は、バッテリ２００の電圧をそれぞれ表す。
【００４３】
以上、実施の形態に係る蓄電システムによると、一部の蓄電池を電池容量の測定対象とし、他の蓄電池を電力バッファとして用いる。これにより、蓄電池の充電電力および放電電力を蓄電システム内で移動（電力交換）させるだけで、電池容量の測定が行なわれる。その結果、電力系統への逆潮流を生じさせることなく、電池容量測定を行なうことが可能になる。
【００４４】
図１〜図７に示した実施の形態は、蓄電システムに含まれる蓄電池が２つであるが、２つよりも多い蓄電池が含まれる変形例の蓄電システムにも適用可能である。
【００４５】
［変形例１］
図８は、蓄電システムの変形例１の概略構成を示す図である。図８を参照して、蓄電システム１０Ａは、バッテリ１０１〜１０３，２０１〜２０３と、第１切替装置１５０と、第２切替装置２５０と、コンバータ１１０，２１０と、インバータ３００と、負荷４００と、電力系統５００と、制御部６００Ａと、測定部７００Ａとを含む。コンバータ１１０，２１０と、インバータ３００と、負荷４００と、電力系統５００とについては、図１と同様であるので、説明を繰り返さない。
【００４６】
図８に示すように、蓄電システム１０Ａは、合計６個のバッテリ１０１〜１０３，２０１〜２０３を含む。バッテリ１０１〜１０３は、第１の蓄電池として、たとえば、電池容量の測定対象となるバッテリのグループ（第１グループ）に属するように分類される。バッテリ２０１〜２０３は、第２の蓄電池として、たとえば、電力バッファとなるバッテリのグループ（第２グループ）に属するように分類される。
【００４７】
第１切替装置１５０は、バッテリ１０１〜１０３にそれぞれ対応したリレー１５１〜１５３を含む。リレー１５１〜１５３は、バッテリ１０１〜１０３と、コンバータ１１０との接続状態を切り替える。第１切替装置によって、バッテリ１０１〜１０３の各々は、コンバータ１１０，２１０および第２切替装置２５０を介して、バッテリ２０１〜２０３と電力交換が可能な状態と、電力交換が不可能な状態とに切り替えられる。
【００４８】
第２切替装置２５０は、バッテリ２０１〜２０３にそれぞれ対応したリレー２５１〜２５３を含む。リレー２５１〜２５３は、バッテリ２０１〜２０３と、コンバータ２１０との接続状態を切り替える。第２切替装置によって、バッテリ２０１〜２０３の各々は、コンバータ２１０，１１０および第１切替装置１５０を介して、バッテリ１０１〜１０３と電力交換が可能な状態と、電力交換が不可能な状態とに切り替えられる。
【００４９】
第１切替装置１５０と第２切替装置２５０とは、制御部６００Ａによって制御される。
測定部７００Ａは、バッテリ１０１〜２０３の充放電電力量を測定する
蓄電システム１０Ａの構成によれば、バッテリ１０１〜１０３（第１グループ）と、バッテリ２０１〜２０３（第２グループ）との間で電力交換が可能である。そのため、電池容量測定に使用されるバッテリの組み合わせのバリエーションが増える。たとえば、バッテリ１０１〜１０３を個別に放電させることもできるし、バッテリ１０１〜１０３（第１グループ）の放電電力をまとめてバッテリ２０１〜２０３（第２グループ）に充電させることもできる。後者の場合、３個のバッテリ１０１〜１０３を個別に放電させるよりも、電池容量の測定時間の短縮を図ることが可能になる。
【００５０】
［変形例２］
図９は、蓄電システムの変形例２の概略構成を示す図である。図９を参照して、蓄電システム１０Ｂは、バッテリ１０１〜１０３，２０１，２０２と、第１切替装置１５０と、第２切替装置２５０Ａと、コンバータ１１０，２１０と、インバータ３００と、負荷４００と、電力系統５００と、制御部６００Ｂと、測定部７００Ｂとを含む。第１切替装置１５０と、コンバータ１１０，２１０と、インバータ３００と、負荷４００と、電力系統５００とについては、図１と同様であるので、説明を繰り返さない。
【００５１】
図９に示すように、蓄電システム１０Ｂは、合計５個のバッテリ１０１〜１０３，２０１，２０２を含む。図９の蓄電システム１０Ｂは、第１グループの含まれるバッテリの数（３個）と、第２グループに含まれるバッテリの数（２個）とが異なる。
【００５２】
第２切替装置２５０Ａは、バッテリ２０１，２０２にそれぞれ対応したリレー２５１，２５２を含む。
【００５３】
第１切替装置１５０と第２切替装置２５０Ａとは、制御部６００Ｂによって制御される。
【００５４】
蓄電システム１０Ｂの構成によれば、バッテリ１０１〜１０３と、バッテリ２０１，２０２との間で電力交換が可能である。そのため、バッテリ１０１〜１０３（すなわち第１グループ）からの放電電力を、バッテリ２０１，２０２（すなわち第２グループ）に充電させることができる。このとき、各バッテリの容量が同じに設計されているのであれば、第２グループに含まれるバッテリは、第１グループに含まれるバッテリよりも少ないため、第２グループの電力バッファとしての機能が不足する。その場合は、第１グループにおいて、たとえば、バッテリ１０３を電力交換が不可能な状態（リレー１５３をオフ状態）とすることができる。これにより、バッテリ１０１，１０２からの放電電力をすべて、バッテリ２０１，２０２によって吸収することができる。そのため、第１グループと第２グループの容量が異なる（アンバランス）の場合でも、電池容量の測定を行なうことができる。
【００５５】
［変形例３］
図１０は、蓄電システムの変形例３の概略構成を示す図である。図１０を参照して、蓄電システム１０Ｃは、バッテリ１０１〜１０３，２０１〜２０３と、コンバータ１１１から１２３と、インバータ３００と、負荷４００と、電力系統５００と、制御部６００Ｃと、測定部７００Ａとを含む。インバータ３００と、負荷４００と、電力系統５００と、測定部７００Ａとについては、図１または図８と同様であるので、説明を繰り返さない。
【００５６】
図１０に示すように、蓄電システム１０Ｃは、合計６個のバッテリ１０１〜１０３，２０１〜２０３を含む。バッテリ１０１〜１０３，２０１〜２０３の各々は、コンバータ１１１〜１１３，２１１〜２１３にそれぞれ接続される。
【００５７】
コンバータ１１１〜１１３，２１１〜２１３の各々の機能は、図１のコンバータ１１０，２１０と同様である。蓄電システム１０Ｃでは、バッテリごとに１つのコンバータが対応している。そのため、図８の切替装置１５０，２５０や、図９に示す切替装置１５０Ａ，２５０Ａが無くとも、バッテリ１０１〜１０３，２０１〜２０３の各々の充放電が個別に行なわれる。すなわち、コンバータ１１１〜１１３，２１１〜２１３は切替装置として機能する。
【００５８】
コンバータ１１１〜１１３，２１１〜２１３は、制御部６００Ｃによって制御される。
図１０では、一例として、バッテリ１０１〜１０３が測定対象（第１グループ）に分類されている。バッテリ１０１〜１０３には、第１の電力変換装置として、コンバータ１１１〜１１３がそれぞれ接続されている。バッテリ２０１〜２０３が電力バッファ（第２グル―プ）に属するように分類されている。バッテリ２０１〜２０３には、第２の電力変換装置として、コンバータ２１１〜２１３がそれぞれ接続されている。このような構成に限らず、蓄電システム１０Ｃでは、バッテリ１０１〜１０３，２０１〜２０３をさまざまに組み合わせ、測定対象のバッテリと、電力バッファのバッテリとに分類することができる。たとえば、バッテリ１０１，１０３，２０２を測定対象（第１グループ）に属するように分類し、バッテリ１０２，２０１，２０３を電力バッファ（第２グループ）に属するように分類するといったことも可能になる。つまり、電池容量測定に使用される蓄電装置の組み合わせのバリエーションがさらに増える。
【００５９】
［変形例４］
図１１は、蓄電システムの変形例４の概略構成を示す図である。図１１を参照して、蓄電システム１０Ｄは、車両に搭載されたバッテリ１００Ａと、バッテリ２００と、電力変換装置１１０Ａと、コンバータ２１０と、インバータ３００と、負荷４００と、電力系統５００と、制御部６００と、測定部７００とを含む。蓄電システム１０Ｄは、図１の蓄電システム１０のバッテリ１００およびコンバータ１１０を、バッテリ１００Ａおよび電力変換装置１１０Ａに置き換えた構成である。
【００６０】
バッテリ１００Ａは、走行源として車両に搭載されているバッテリである。蓄電システム１０Ｄにおいて、バッテリ１００Ａは、電力変換装置１１０Ａに接続される。
【００６１】
電力変換装置１１０Ａは、バッテリ１００Ａからの電力を適切な電圧に変換して、インバータ３００に供給する。また、電力変換装置１１０Ａは、インバータ３００からの電力をバッテリ１００Ａに供給することもできる。バッテリ１００Ａとバッテリ２００とは、電力変換装置１１０Ａおよびコンバータ２１０を介して、互いに電力交換可能に構成される。
【００６２】
蓄電システム１０Ｄの構成によれば、車両に搭載されたバッテリ１００Ａの電池容量を測定することが可能になる。逆に、車両に搭載されたバッテリ１００Ａを利用することによって、バッテリ２００の電池容量を測定することも可能になる。なお、電力変換装置１１０Ａは、車両に搭載されていてもよい。
【００６３】
最後に、本発明の実施の形態について総括する。図１を参照して、実施の形態に係る蓄電システム１０は、電力系統５００と電力の授受が可能であるとともに、互いに電力交換可能に構成される複数の蓄電池（バッテリ１００，２００）と、蓄電システム１０の全体の残存容量（すなわち全体ＳＯＣ）が５０％以下の条件のもと、電池容量測定のために複数の蓄電池（バッテリ１００，２００）のうち放電が行なわれる蓄電池（バッテリ１００）の放電電力と充電が行なわれる蓄電池（バッテリ２００）の充電電力とを一致させて、放電が行なわれる蓄電池（バッテリ１００）と充電が行なわれる蓄電池（バッテリ２００）との間で電力交換が行なわれるように蓄電システム１０を制御する制御部６００とを備える。
【００６４】
好ましくは、図８に示すように、複数の蓄電池（バッテリ１０１〜１０３，２０１〜２０３）は、複数の蓄電池（バッテリ１０１〜１０３，２０１〜２０３）のうち電池容量測定のために放電が行なわれる第１の蓄電池（バッテリ１０１〜１０３）と、第１の蓄電池（バッテリ１０１〜１０３）を電力交換が可能な状態と電力交換が不可能な状態とに切り替える第１切替装置１５０とを含む第１グループと、複数の蓄電池（バッテリ１０１〜１０３，２０１〜２０３）のうち電池容量測定のために充電が行なわれる第２の蓄電池（バッテリ２０１〜２０３）と、第２の蓄電池（バッテリ２０１〜２０３）を電力交換が可能な状態と電力交換が不可能な状態とに切り替える第２切替装置２５０とを含む第２グループとに分類される。
【００６５】
さらに好ましくは、図１０に示すように、第１切替装置は、第１の蓄電池に接続された電力変換装置（コンバータ１１１〜１１３）であり、第２切替装置は、第２の蓄電池に接続された電力変換装置（コンバータ２１１〜２１３）である。
【００６６】
今回開示された実施の形態は、すべての点で例示であって制限的なものではないと考えられるべきである。本発明の範囲は、上記した実施の形態の説明でなくて特許請求の範囲によって示され、特許請求の範囲と均等の意味および範囲内でのすべての変更が含まれることが意図される。
【符号の説明】
【００６７】
１０，１０Ａ，１０Ｂ，１０Ｃ，１０Ｄ  蓄電システム、１００〜１０３，２００〜２０３，１００Ａ  バッテリ、１１０，２１０  コンバータ、１１０Ａ  電力変換装置、１５０，１５０Ａ  第１切替装置、２５０，２５０Ａ  第２切替装置、１５１〜１５３，２５１〜２５３  リレー、３００  インバータ、４００  負荷、５００  電力系統、６００，６００Ａ，６００Ｂ，６００Ｃ  制御部、７００，７００Ａ，７００Ｂ  測定部。
【図１】
2015070782.tif 000003
【図２】
2015070782.tif 000004
【図３】
2015070782.tif 000005
【図４】
2015070782.tif 000006
【図５】
2015070782.tif 000007
【図６】
2015070782.tif 000008
【図７】
2015070782.tif 000009
【図８】
2015070782.tif 000010
【図９】
2015070782.tif 000011
【図１０】
2015070782.tif 000012
【図１１】
2015070782.tif 000013